(57)【要約】【課題】  利用者が既に所有しているＩＣカード乗車券や電子マネーカード等の非接触ＩＣカードを利用して、広告等の情報を配信することができる情報配信システム及びその登録装置を提供する。【解決手段】  登録装置３は、非接触ＩＣカードからそのＩＣカードを特定するためのチップＩＤ（識別情報）を読み出す読出手段３１と、利用者が配信先アドレスを入力する入力手段３２と、チップＩＤと配信先アドレスとを管理サーバ４へ送信する送信手段３３とを有する。利用者が登録した非接触ＩＣカードを広告ユニット２の所定位置にかざすと、リーダライタ２１によってチップＩＤが読み取られ、管理サーバ４へ送信される。管理サーバ４は、チップＩＤと配信先アドレスとを対応付けて管理し、また各種の配信情報を管理しており、広告ユニット２毎に対応した広告情報を配信先アドレスへ電子メールで送信する。【選択図】  図１
2006120062.tif 000002
【特許請求の範囲】
【請求項１】
非接触ＩＣチップを特定するためのチップＩＤをリーダライタによって読み取らせることで、予め登録された配信先アドレスに情報が配信される情報配信システムであって、
前記非接触ＩＣチップから前記チップＩＤを読み出す読出手段と、前記配信先アドレスを入力する入力手段と、前記読出手段によって読み出された前記チップＩＤ及び前記入力手段によって入力された前記配信先アドレスを管理サーバへ送信する送信手段とを有する登録装置を備える情報配信システム。
【請求項２】
非接触ＩＣチップを特定するためのチップＩＤをリーダライタによって読み取らせることで、予め登録された配信先アドレスに情報が配信される情報配信システムの登録装置であって、
前記非接触ＩＣチップから前記チップＩＤを読み出す読出手段と、前記配信先アドレスを入力する入力手段と、前記読出手段によって読み出された前記チップＩＤ及び前記入力手段によって入力された前記配信先アドレスを管理サーバへ送信する送信手段とを有する情報配信システムの登録装置。
【請求項３】
請求項１記載の情報配信システムであって、
前記非接触ＩＣチップは、交通機関のプリペイドカード、電子マネーカードの少なくともいずれかを含むものである情報配信システム。
【請求項４】
請求項１記載の情報配信システムであって、
前記非接触ＩＣチップは非接触ＩＣタグであり、前記非接触ＩＣタグは、広告チラシ、雑誌、または販売促進を目的とした配布物の少なくともいずれかに取り付けられている情報配信システム。
【請求項５】
請求項１記載の情報配信システムであって、
前記リーダライタは、広告情報を表示する手段を備えた広告ユニットに設けられている情報配信システム。 
【発明の詳細な説明】
【技術分野】
【０００１】
本発明は、非接触ＩＣチップ（非接触ＩＣカード、非接触ＩＣタグ等）とリーダライタを用いて広告等の情報を配信する情報配信システム、及び、情報の配信先を登録するための登録装置に関する。
【背景技術】
【０００２】
非接触型ＩＣチップは、身分証明用ＩＤカード、交通機関の定期やプリペイドカード、各種店舗等のポイントカード、電子マネーカード等に利用されている。このような非接触型ＩＣチップの中には、端末装置（リーダライタ）のアンテナ（読取部）に近づけると固有のＩＤ（チップＩＤまたはＲＦＩＤ）を端末装置（リーダライタ）側に返すものがある。そして、このような非接触型ＩＣチップとインターネット対応の携帯電話を組み合わせた広告システムが提案されている。この広告システムは、ユーザが看板に記載された広告に関して更に詳細な情報が欲しい場合、非接触型ＩＣチップを看板に埋め込まれたアンテナにかざす（近づける）ことで、チップＩＤが端末装置（リーダライタ）によって読み取られ、看板ＩＤ（または端末装置ＩＤ）とともに広告サーバへ供給される。広告サーバは、携帯電話のメールアドレスとチップＩＤを対応させたテーブルを備えるとともに、看板ＩＤに対応付けられた広告コンテンツを備えており、看板ＩＤとチップＩＤが供給されると、看板に対応した広告コンテンツをチップＩＤによって特定されるメールアドレスへ電子メールで送信する（例えば特許文献１参照）。
【０００３】
また、非接触ＩＣカードを利用して、個人に特化した情報や個別の情報を携帯端末加入者へ文字または音声によって提供する情報提供システムや、非接触ＩＣタグまたは非接触ＩＣカードを利用して利用者が興味を持った広告宣伝媒体に関連する個別の情報を電子メールで提供する個別情報配信システムが提案されている（特許文献２、３参照）。
【０００４】
【特許文献１】特開２００３−２３３７５４号公報（段落０００２〜０００８）
【特許文献２】特開２００３−２４４０５９号公報
【特許文献３】特開２００３−３０８２６７号公報
【発明の開示】
【発明が解決しようとする課題】
【０００５】
上記のような情報提供システム等では、利用者は情報提供サービスの利用申し込み等を行い、情報提供事業者等は情報提供サービスを利用するための非接触ＩＣカードまたは非接触ＩＣタグを配布していた。このため、情報提供事業者等は利用申し込みを受け付けて、少なくともチップＩＤと情報配信先アドレスとをデータベース等に登録し、非接触ＩＣカードまたは非接触ＩＣタグを申込者に配布する必要があり、多大な費用が発生する。一方、利用者側は、複数の情報提供システムを利用するにはそれぞれの情報提供事業者等から配布された複数のＩＣカード等を所持しなければならないという煩わしさがある。利用者が既に所有しているＩＣカード等（例えば交通機関の定期やプリペイドカードや電子マネーカード）で上記のような情報提供サービスを利用できれば、利用者は新たなＩＣカード等を持つ必要がなくなるし、情報提供事業者等はＩＣカード等を発行する必要もなくなる。
【０００６】
本発明は、上記事情に鑑みてなされたもので、情報提供事業者等が配布した非接触ＩＣチップ以外の非接触ＩＣチップであっても、その非接触ＩＣチップで情報提供サービスを受けられるようにできる情報配信システム及び登録装置を提供することを目的とする。
【課題を解決するための手段】
【０００７】
本発明に係る情報配信システムは、非接触ＩＣチップを特定するためのチップＩＤをリーダライタによって読み取らせることで、予め登録された配信先アドレスに情報が配信される情報配信システムであって、非接触ＩＣチップからチップＩＤを読み出す読出手段と、配信先アドレスを入力する入力手段と、読出手段によって読み出されたチップＩＤ及び入力手段によって入力された配信先アドレスを管理サーバへ送信する送信手段とを有する登録装置を備える。
【０００８】
上記構成において、登録装置により、読出手段によって読み出されたチップＩＤ及び入力手段によって入力された配信先アドレスを管理サーバへ送信することで、管理サーバにおいてチップＩＤと配信先アドレスとを対応つけて管理することができる。これにより、利用者は登録を行った非接触ＩＣチップをリーダライタに接近させることで、例えばリーダライタに予め対応付けられた情報が登録した配信先アドレスに配信される。利用者は既に所有している非接触ＩＣチップを用いて情報配信サービスを利用でき、サービスの利用に際して新たに専用のＩＣカード等を持つ必要がなくなるし、また、情報提供事業者等は非接触ＩＣチップを発行しなくてすむ。
【０００９】
本発明に係る情報配信システムの登録装置は、非接触ＩＣチップを特定するためのチップＩＤをリーダライタによって読み取らせることで、予め登録された配信先アドレスに情報が配信される情報配信システムの登録装置であって、この登録装置は、非接触ＩＣチップから前記チップＩＤを読み出す読出手段と、配信先アドレスを入力する入力手段と、読出手段によって読み出されたチップＩＤ及び入力手段によって入力された配信先アドレスを管理サーバへ送信する送信手段とを有する。
【００１０】
上記構成において、登録装置は、読出手段によって読み出されたチップＩＤ及び入力手段によって入力された配信先アドレスを管理サーバへ送信するので、管理サーバにおいてチップＩＤと配信先アドレスとを対応つけて管理することができる。これにより、利用者は登録を行った非接触ＩＣチップをリーダライタに接近させることで、例えばリーダライタに予め対応付けられた情報が登録した配信先アドレスに配信される。利用者は既に所有している非接触ＩＣチップを用いて情報配信サービスを利用でき、サービスの利用に際して新たに専用のＩＣカード等を持つ必要がなくなるし、また、情報提供事業者等は、非接触ＩＣチップを発行しなくてすむ。
【００１１】
また、上記の情報配信システムであって、前記非接触ＩＣチップは、交通機関のプリペイドカード、電子マネーカードの少なくともいずれかを含むものである。
これにより、利用者は、既に所有している非接触ＩＣカードのカードＩＤ及び配信先アドレスを登録装置で登録することで、情報配信サービスを利用できる。
【００１２】
また、上記の情報配信システムであって、前記非接触ＩＣチップは非接触ＩＣタグであり、この非接触ＩＣタグは広告チラシ、雑誌、または販売促進を目的とした配布物の少なくともいずれかに取り付けられている。
これにより、利用者は、配布された非接触ＩＣタグのタグＩＤ及び配信先アドレスを登録装置で登録することで、情報配信サービスを利用できる。
【００１３】
また、上記の情報配信システムであって、前記リーダライタは、広告情報を表示する手段を備えた広告ユニットに設けられている。
これにより、利用者は、広告ユニットに設けられたリーダライタに非接触ＩＣチップをかざす（接近させる）ことで、広告等に関する詳細情報や特典等に関する情報の配信を受けることができる。
【発明の効果】
【００１４】
本発明によれば、情報提供事業者等が配布した非接触ＩＣチップ以外の非接触ＩＣチップであっても、その非接触ＩＣチップで情報提供サービスを受けられるようにできる情報配信システム及び登録装置を提供可能である。
【発明を実施するための最良の形態】
【００１５】
（第１の実施形態）
図１は本発明の第１の実施形態に係る情報配信システムの構成図である。情報配信システムは、広告ユニット２、登録装置３、管理サーバ４がインターネット等の通信網５を介して接続されている。符号６は配信される情報の受取手段であり、この受取手段６は、インターネットに対応した携帯電話装置、携帯情報端末、パーソナルコンピュータ、セットトップボックス等であって、配信先アドレスを有するものである。
【００１６】
広告ユニット２は、広告情報を表示する表示手段２０と、非接触ＩＣチップ（ＩＣカードやＩＣタグ）との通信を行うリーダライタ２１とを有している。リーダライタ２１は、非接触ＩＣチップのチップＩＤを読み出し、読み出したチップＩＤと、広告ユニットを特定するユニットＩＤ及び広告情報を特定する広告ＩＤの少なくとも一方を管理サーバ４へ送信する。この広告ユニット２は、街頭や各種施設等に設置されている。
【００１７】
リーダライタ２１は、非接触ＩＣチップと情報の送受信を行うためのアンテナ装置２２と、表示手段２０に表示された広告を特定する広告ＩＤ及び広告ユニット２を一意に特定可能なユニットＩＤとを記憶するメモリ装置２３と、アンテナ装置２２を介して非接触ＩＣチップからチップＩＤを読み出すとともに、メモリ装置２３からユニットＩＤと広告ＩＤの少なくとも一方を読み出して送信データを生成するデータ処理装置２４と、データ処理装置２４から出力された送信データ（チップＩＤ、ユニットＩＤ、広告ＩＤ）を管理サーバ４へ送信する伝送装置２５とを有する。
【００１８】
図２は広告ユニットの構造を示す図、図３は非接触ＩＣチップをかざす位置を示す図である。なお、図２において（ａ）は正面を示し、（ｂ）は側面を示している。広告ユニット２は、樹脂、木または紙で構成されていて、図２に示すように、表面に紙または樹脂製の広告のポスターＰを貼付する表示手段２０（例えばポスター台座等）を備え、リーダライタ２１を内蔵している。ポスターＰ上には、図３に示すように、リーダライタ２１に対応するエリアに、ＩＣカードやＩＣタグ等の非接触ＩＣチップＴをかざす位置を示すマークＭが印刷されている。
【００１９】
図１に示す登録装置３は、非接触ＩＣチップと情報の送受信を行うためのアンテナ装置（図示しない）を介して非接触ＩＣチップからチップＩＤを読み出す読出手段３１と、情報の受取先である配信先アドレスを入力する入力手段３２と、読出手段３１によって読み出されたチップＩＤ及び入力手段３２によって入力された配信先アドレスを管理サーバ４へ送信する送信手段３３とを有する。
【００２０】
入力手段３２は、タッチパネルを備えた画像表示装置を用いて構成されており、利用者（登録希望者）は画面に表示される操作ガイダンスにしたがって、非接触ＩＣチップを指定された位置にかざした後に、配信先アドレスを入力し、入力した配信先アドレスの確認操作等を行うことで、利用者が使用する非接触ＩＣチップ及び配信先アドレスの登録を行うことができる。
【００２１】
登録装置３は、例えば駅、大型商業施設、レジャー施設等に設置されている。なお、登録装置３は、登録済の配信先アドレスを変更したり、登録を解除したりすることができる。
【００２２】
本実施形態では、利用者が使用する非接触ＩＣチップのチップＩＤと配信先アドレスだけを登録する例を示したが、利用者の個人情報（氏名、年齢、性別等）も登録するようにしてもよい。なお、利用者の個人情報は登録装置３で登録するのではなく、管理サーバ４側から個人情報の登録を依頼する電子メールを別途送信し、その電子メール中に記載されている登録サイトへアクセスしてもらうこと等によって個人情報の登録が行われるようにしてもよい。なお、情報配信のために個人情報の登録が必要となるわけではない。
【００２３】
管理サーバ４は、登録装置３から供給されたチップＩＤ、配信先アドレスを対応つけて記憶し管理する登録管理手段４１と、各種の広告情報（配信情報）をユニットＩＤまたは広告ＩＤとの対応を付けて記憶し管理する広告管理手段４２と、広告ユニット２から供給されるチップＩＤ、ユニットＩＤ、広告ＩＤに基づいて配信先アドレス宛てにユニットＩＤまたは広告ＩＤに対応した配信情報を電子メールで送信する配信管理手段４３と、利用者毎の配信履歴や広告ユニット毎の配信サービス利用履歴を管理する履歴管理手段４４とを有する。また、管理サーバ４は、利用者情報を格納する利用者データベース４５と、広告情報を格納する広告データベース４６とを備える。
【００２４】
なお、各種管理を単一のサーバで行うのではなく、例えば、チップＩＤ、配信先アドレスを対応つけて記憶するとともに広告情報の配信及び配信履歴を管理する利用者情報管理サーバと、各種の広告情報を記憶し管理する広告管理サーバとに分けて構成するようにしてもよい。また、広告ユニット２側に広告管理手段、配信管理手段を備え、広告ユニット２は配信先アドレスを管理サーバ４に問い合せて、情報を配信するようにしてもよい。
【００２５】
図４は情報配信システムの利用手順を示す図である。例えば交通機関の非接触ＩＣ乗車券等の非接触ＩＣカードを使用している利用者は、登録装置３の所定位置に非接触ＩＣカードをかざすことで、その非接触ＩＣカードに固有のチップＩＤを読出手段３１によって読み取らせるとともに、配信先アドレスとして利用者の電子メールアドレスを入力手段３２を用いて入力する（ステップＳ１）。登録装置３は、チップＩＤ及び配信先アドレス（電子メールアドレス）を管理サーバ４へ送信する。管理サーバ４は、チップＩＤ及び配信先アドレス（電子メールアドレス）を対応付けて記憶する。これにより、登録した非接触ＩＣカードを利用して情報配信サービスを受けることができるようになる。
【００２６】
利用者は、広告ユニット２におけるポスターＰ上のマークＭを、登録した非接触ＩＣカードでふれる（ステップＳ２）。これにより、広告ユニット２のリーダライタ２１によって非接触ＩＣカードのチップＩＤが読み出され、読み出されたチップＩＤと、広告ユニットを特定するユニットＩＤと広告を特定する広告ＩＤの少なくとも一方とが管理サーバ４へ送信される。なお、広告ユニット２は、管理サーバ４への送信が完了すると、送信の完了を音や光で報知する機能を有している。これにより、利用者は、非接触ＩＣカードの読み取りが正常になされたことを確認することができる。
【００２７】
そして、管理サーバ４から利用者の配信先アドレスへ広告ユニット２またはその広告に対応した配信情報が電子メールで配信され（ステップＳ３）、また、管理サーバ４によって広告ユニット毎のアクセス履歴や利用者毎のアクセス履歴が追加、蓄積、管理される（ステップＳ４）。
【００２８】
なお、受取手段６が、携帯電話装置である場合には携帯電話事業者の基地局を介して利用者の携帯電話装置に電子メールが配信され、パーソナルコンピュータである場合にはインターネットサービスプロバイダ等を介して電子メールが配信され、セットトップボックスである場合にはケーブルテレビ事業者等を介して電子メールが配信される。
【００２９】
図５は管理サーバ内の登録管理手段及び履歴管理手段が管理するデータの一例を示す図である。管理サーバ４内の利用者データベース４５には、個人情報（氏名性別年齢他）５１、非接触ＩＣカード情報（チップＩＤ）５２、配信先アドレス５３、個人のアクセス履歴（日時／場所／回数）５４、アクセスされた広告ユニットのユニットＩＤ５５、その他の情報５６が格納されている。個人のアクセス履歴５４、アクセスされた広告ユニットのユニットＩＤ５５は、利用者が本情報配信システムを利用するたびに追加される。なお、アクセスされた広告ユニット２の設置場所は、広告ユニットのユニットＩＤから特定できるようにしている。
【００３０】
図６は広告管理手段及び履歴管理手段が管理するデータの一例を示す図である。管理サーバ４内の広告データベース４６には、一般メールで配信する広告情報６１、携帯メールで配信する広告情報６２、その他の配信用の広告情報６３、広告毎のアクセス履歴６４、その他の情報６５が格納されている。
【００３１】
本実施形態では、広告情報を含む電子メールは利用者の受取手段６（携帯電話装置、携帯情報端末、パーソナルコンピュータ、セットトップボックス等）に送信されるが、利用者の非接触ＩＣカードに対して送信するようにしてもよい。この場合、広告情報は利用者が使用している広告ユニット２のリーダライタ２１に送信され、利用者は非接触ＩＣカードをかざしたままにしておけば、広告情報が非接触ＩＣカードに書き込まれる。利用者は、図示しないＩＣカードリーダと図示しない表示装置とを用いて、非接触ＩＣカードに書き込まれた広告情報を見ることができる。
【００３２】
以上のように第１の実施形態では、表示手段２０及びリーダライタ２１を備えた広告ユニット２と、利用者が所持している非接触ＩＣカードの識別情報と配信先アドレスを登録する登録装置３と、各種管理及び情報の配信を行う管理サーバ４とを備え、利用者が例えば非接触ＩＣカード乗車券を広告ユニット２のリーダライタ２１上にかざすと、インターネット等の通信網５を介して利用者の受取手段６に個別の広告情報が配信されるようにしている。これによって、情報配信システム専用のＩＣカードを新たに普及させる必要がなく、また非接触ＩＣカード乗車券等は日常的に携帯していることも多いことから、利用者が多く効果的な情報配信システムと提供することができる。
【００３３】
また、第１の実施形態によれば、広告情報はインターネットに接続された受取手段６に電子メールで配信されるようにしたので、利用者は所望の情報を迅速に入手することができる。また、情報配信システムの利用情報が管理サーバ４に蓄積されるので、蓄積情報を分析すれば市場調査等を行うことができ、また、利用者の利用履歴に応じた異なる情報を配信することができる。
【００３４】
さらに、第１の実施形態によれば、広告ユニット２を木または樹脂製または紙製とし、一方の面に紙または樹脂製の広告のポスターＰを貼付するための表示手段２０を設け、リーダライタ２１を内蔵した構成をとったことにより、軽量で設置が容易になり、利用者がリーダライタ２１に直接触れることなく非接触ＩＣカード乗車券等と情報のやりとりができることで、広告ユニット２の損傷やリーダライタ２１の盗難を防ぐことができる。
【００３５】
なお、第１の実施形態では、広告ユニット２、登録装置３、管理サーバ４はインターネット等のオープンな通信網５で接続されているが、専用ネットワークで接続されていてもよいし、無線を利用したネットワークで接続されていてもよい。
【００３６】
（第２の実施形態）
本発明の第２の実施形態の構成は、上記の第１の実施形態と同様である。ただし、第２の実施形態に係る情報配信システムでは、例えば街頭で配布される広告チラシに備えられたＩＣタグを用いる。広告チラシは、製紙段階でＩＣタグがすきこまれており、どこにＩＣタグが埋め込まれているかが視認できるようになっている。なお、ＩＣタグはチラシに貼付されていてもよいし、紙や樹脂等の電波を通す２枚の素材で形成されたチラシの間に挟みこまれていてもよい。
【００３７】
このＩＣタグは、ＩＣタグを特定するためのチップＩＤ（識別情報）が予め書き込まれており、リーダライタ等の読出装置に対してチップＩＤを返す。利用者は、配布されたＩＣタグを持参し、登録装置３でそのＩＣタグを所定位置にかざすことで、ＩＣタグのチップＩＤを読み取らせるとともに、配信先アドレス（メールアドレス）を登録する。そして、登録したＩＣタグを広告ユニット２のマークＭにかざすことによって、受取手段６に広告関連情報等が電子メールで配信される。
【００３８】
以上のように第２の実施形態では、チラシをはじめとした販促用の媒体にＩＣタグを埋め込み、この媒体を使用して広告関連情報を利用者の受取手段６に配信するようにしたので、不特定多数の利用者に対して情報配信システムを利用する機会を提供することができ、より効果的な情報配信システムを実現することができる。
【００３９】
上述した実施形態によれば、登録装置によって、利用者が既に所有している非接触ＩＣチップ（非接触ＩＣカードや非接触ＩＣタグ等）を特定するための識別情報（チップＩＤ）と情報の配信先アドレスを登録できるので、登録した非接触ＩＣチップを例えば広告ユニットに設けられたリーダライタにかざす（接近させる）ことで、登録した配信先アドレスに広告等に関する詳細情報等の配信を受けることができる。すなわち、利用者が既に所有している非接触ＩＣカードや街頭で配布されたＩＣタグを利用して、広告等に関する詳細情報等の情報配信を受けることが可能である。したがって、利用者は情報配信サービスの利用に際して新たに専用のＩＣカード等を持つ必要がなくなるし、情報提供事業者等はＩＣカード等を発行する必要もなくなる。
【産業上の利用可能性】
【００４０】
本発明は、情報提供事業者等が配布した非接触ＩＣチップ以外の非接触ＩＣチップであっても、その非接触ＩＣチップで情報提供サービスを受けられるようにできるという効果を有し、非接触ＩＣチップとリーダライタを用いて広告等の情報を配信する情報配信システム及び登録装置等に有用である。
【図面の簡単な説明】
【００４１】
【図１】本発明の実施形態に係る情報配信システムの構成図
【図２】本実施形態に係る情報配信システムの広告ユニットの構造を示す図
【図３】本実施形態に係る情報配信システムの広告ユニットにおいて非接触ＩＣチップをかざす位置を示す図
【図４】本実施形態に係る情報配信システムの利用手順を示す図
【図５】本実施形態に係る情報配信システムにおいて管理サーバ内の登録管理手段及び履歴管理手段が管理するデータの一例を示す図
【図６】本実施形態に係る情報配信システムにおいて広告管理手段及び履歴管理手段が管理するデータの一例を示す図
【符号の説明】
【００４２】
２  広告ユニット
３  登録装置
４  管理サーバ
５  通信網
６  受取手段
２０  表示手段
２１  リーダライタ
３１  読出手段
３２  入力手段
３３  送信手段
４１  登録管理手段
４２  広告管理手段
４３  配信管理手段
４４  履歴管理手段
【図１】
2006120062.tif 000003
【図２】
2006120062.tif 000004
【図３】
2006120062.tif 000005
【図４】
2006120062.tif 000006
【図５】
2006120062.tif 000007
【図６】
2006120062.tif 000008